(57)【要約】【課題】組み付け性が良好なラバーシートを用いつつ防水性を高めることができる携帯キーの提供。【解決手段】無線電波を送信する携帯キーは、第１外周部を有する第１筐体部材と、第１外周部に第１方向で対向する第２外周部を有する第２筐体部材と、第１方向で第１外周部と第２外周部との間に挟まれる第３外周部を有し、第１及び第２筐体部材により形成される内部空間に延在するラバーシートとを含み、第１及び第２外周部のうちの一方は、第１方向に突出する凸部を周方向の全体又は一部にわたり有し、第１及び第２外周部のうちの他方は、第１方向に凹む凹部を周方向の全体又は一部にわたり有し、ラバーシートは、組み付け前の状態では、第３外周部が略平らな表面を有する一方、組み付け後の状態では、第３外周部が凸部と凹部との間で弾性変形して第３外周部の一部が凹部内に収まる。【選択図】図６
2018155000.tif 000002
【特許請求の範囲】
【請求項１】
無線電波を送信する携帯キーであって、
第１外周部を有する第１筐体部材と、
前記第１外周部に第１方向で対向する第２外周部を有する第２筐体部材と、
前記第１方向で前記第１筐体部材の前記第１外周部と前記第２筐体部材の前記第２外周部との間に挟まれる第３外周部を有し、前記第１筐体部材及び前記第２筐体部材により形成される内部空間に延在するラバーシートとを含み、
前記第１外周部及び前記第２外周部のうちの一方は、前記第１方向に突出する凸部を周方向の全体又は一部にわたり有し、前記第１外周部及び前記第２外周部のうちの他方は、前記第１方向に凹む凹部を周方向の全体又は一部にわたり有し、
前記ラバーシートは、組み付け前の状態では、前記第３外周部が前記第１方向の両側に略平らな表面を有する一方、組み付け後の状態では、前記第３外周部が前記凸部と前記凹部との間で弾性変形して前記第３外周部の一部が前記凹部内に収まる、携帯キー。
【請求項２】
前記第１外周部が延在する周方向に視たときの前記凸部の断面形状及び前記凹部の断面形状について、前記凸部の断面形状の突出部分の面積は、前記凹部の断面形状の凹み部分の面積よりも大きい、請求項１に記載の携帯キー。
【請求項３】
前記凸部の断面形状は、頂部が円形状であり、
前記凹部の断面形状は、Ｖ字状である、請求項２に記載の携帯キー。
【請求項４】
前記第１外周部が延在する周方向に垂直かつ前記第１方向に垂直な方向を第２方向とした場合、前記第２方向での前記突出部分の最大長さは、前記第２方向での前記凹み部分の最大長さよりも長い、請求項３に記載の携帯キー。
【請求項５】
前記第１外周部及び前記第２外周部のうちの一方は、前記凸部を周方向の全体にわたり有し、前記第１外周部及び前記第２外周部のうちの他方は、前記凹部を周方向の全体にわたり有する、請求項１〜４のうちのいずれか１項に記載の携帯キー。
【発明の詳細な説明】
【技術分野】
【０００１】
本開示は、携帯キーに関する。
【背景技術】
【０００２】
分割した２つの筐体部材の外周部に凹状溝と押圧リブとを設け、凹状溝内に、突状の部位を有するパッキンの該突状の部位を挿入して押圧リブで押し付ける防水構造が知られている。
【先行技術文献】
【特許文献】
【０００３】
【特許文献１】特開平１０−４２７３号公報
【発明の概要】
【発明が解決しようとする課題】
【０００４】
しかしながら、上記のような従来技術では、パッキンの突状の部位を全周にわたり凹状溝内に押し込む必要があり、組み付け性の観点から改善の余地がある。
【０００５】
そこで、１つの側面では、本発明は、組み付け性が良好なラバーシートを用いつつ防水性を高めることができる携帯キーの提供を目的とする。
【課題を解決するための手段】
【０００６】
１つの側面では、無線電波を送信する携帯キーであって、
第１外周部を有する第１筐体部材と、
前記第１外周部に第１方向で対向する第２外周部を有する第２筐体部材と、
前記第１方向で前記第１筐体部材の前記第１外周部と前記第２筐体部材の前記第２外周部との間に挟まれる第３外周部を有し、前記第１筐体部材及び前記第２筐体部材により形成される内部空間に延在するラバーシートとを含み、
前記第１外周部及び前記第２外周部のうちの一方は、前記第１方向に突出する凸部を周方向の全体又は一部にわたり有し、前記第１外周部及び前記第２外周部のうちの他方は、前記第１方向に凹む凹部を周方向の全体又は一部にわたり有し、
前記ラバーシートは、組み付け前の状態では、前記第３外周部が前記第１方向の両側に略平らな表面を有する一方、組み付け後の状態では、前記第３外周部が前記凸部と前記凹部との間で弾性変形して前記第３外周部の一部が前記凹部内に収まる、携帯キーが提供される。
【発明の効果】
【０００７】
１つの側面では、本発明によれば、組み付け性が良好なラバーシートを用いつつ防水性を高めることができる携帯キーが得られる。
【図面の簡単な説明】
【０００８】
【図１】一実施例による携帯キー１の外観を示す斜視図である。
【図２】携帯キーの内部を示す斜視図である。
【図３】携帯キーの内部を示す斜視図である。
【図４】携帯キーの内部を示す斜視図である。
【図５】防水シートの単品図である。
【図６】上ケースと下ケースと防水シートの３者間の関係を示す断面図である。
【図７】上ケースと下ケースと防水シートの３者間の関係を示す断面図である。
【図８】比較例による防水構造を模式的に示す断面図である。
【図９】本実施例による防水構造を模式的に示す断面図である。
【図１０】本実施例による凹部及び凸部間の好ましい寸法関係の説明図である。
【発明を実施するための形態】
【０００９】
以下、添付図面を参照しながら各実施例について詳細に説明する。
【００１０】
図１は、一実施例による携帯キー１の外観を示す斜視図である。図１には、直交する３軸Ｘ，Ｙ，Ｚが定義されている。また、Ｘ，Ｙ，Ｚ軸のそれぞれには、それぞれの側がＸ１，Ｘ２等で示される。Ｚ軸は、携帯キー１の厚み方向に対応し、Ｘ軸は、携帯キー１の長手方向に対応し、Ｙ軸は、携帯キー１の短手方向に対応する。以下では、説明上、Ｚ方向（第１方向の一例）を上下方向とし、Ｚ１側を「上側」とする。
【００１１】
携帯キー１は、車両のユーザに携帯されるキーである。携帯キー１は、キーレスエントリシステムやスマートキーレスエントリシステム等で用いられる電子キーである。
【００１２】
携帯キー１は、筐体１０と、操作ノブ３０とを含む。
【００１３】
筐体１０は、例えばＸ方向を長手方向としてＹ方向を短手方向とする矩形の形態である。筐体１０は、上ケース１０ａ（第１筐体部材の一例）と、下ケース１０ｂ（第２筐体部材の一例）とを含む。筐体１０は、上ケース１０ａと下ケース１０ｂを嵌め合せることで一体化される。
【００１４】
筐体１０の上ケース１０ａは、Ｚ方向に開口する開口部１２を有する。開口部１２には、操作ノブ３０が設けられる。
【００１５】
操作ノブ３０は、ユーザにより操作されるスイッチの形態である。操作ノブ３０は、樹脂材料（例えばアクリル樹脂）により形成される。操作ノブ３０は、例えば複数個設けられる。操作ノブ３０のそれぞれには各種機能が割り当てられる。各種機能は、例えばドアロック、ドアアンロック、トランク開閉等の機能である。
【００１６】
図２乃至図４は、携帯キー１の内部を示す斜視図であり、図２は、上ケース１０ａや操作ノブ３０等を取り外した状態の斜視図であり、図３は、上ケース１０ａや、操作ノブ３０、防水シート５０等を取り外した状態の斜視図である。図４は、図３に示す状態から、更に基板やタクトスイッチ等を取り外した状態の斜視図である。
【００１７】
筐体１０の内部には、防水シート５０を介して、各種の電子部品が設けられる。図４に示す例では、電子部品７０はアンテナであり、電子部品７２はバッテリである。例えば、アンテナである電子部品７０は、操作ノブ３０が操作されてタクトスイッチ６１（電子部品の他の一例）がオンすると、所定のワイヤレス信号を送信する。
【００１８】
防水シート５０は、ラバーシート（ゴム材料のシート）により形成され、筐体１０の内部の各種の電子部品に対する防水機能を果たす。防水シート５０は、上ケース１０ａ及び操作ノブ３０に対してＺ２側から隣接する態様で設けられ、ＸＹ平面内に延在する。尚、図２に示す例では、防水シート５０は、タクトスイッチ用のドーム状部位５２を備える。防水シート５０は、矩形の形態を有し、外周部５０１（第３外周部の一例）がＺ方向で上ケース１０ａと下ケース１０ｂとの間に挟まれて保持される。この際、防水シート５０は、弾性変形した状態で保持されることで、防水機能を発現する。
【００１９】
次に、図５以降を参照して、筐体１０及び防水シート５０について更に詳しく説明する。
【００２０】
図５は、防水シート５０の単品図である。図６は、上ケース１０ａと下ケース１０ｂと防水シート５０の３者間の関係を示す断面図であり、Ｙ方向に沿った携帯キー１の中央付近の断面図である。図７は、上ケース１０ａと下ケース１０ｂと防水シート５０の３者間の関係を示す断面図であり、Ｘ方向に沿った携帯キー１の中央付近の断面図である。
【００２１】
防水シート５０の外周部５０１は、防水シート５０の単品状態（組み付け前の状態）では、Ｚ１側が図５に示されるように、Ｚ１側及びＺ２側のいずれも略平らな表面を有する。尚、略平らな表面とは、製造上形成されうる僅かな起伏等を許容する趣旨である。
【００２２】
上ケース１０ａは、外周部１０１（第１外周部の一例）を有し、下ケース１０ｂは、外周部２０１（第２外周部の一例）を有し、外周部１０１，２０１がＺ方向で防水シート５０の外周部５０１を挟んで対向する。尚、上ケース１０ａは、筐体内部側に外周部１０１を有する。即ち、上ケース１０ａの外周部１０１は、最も外側の外縁部１０２よりも筐体内部側に設けられる。上ケース１０ａの外縁部１０２は、下ケース１０ｂの外縁部２０２とＺ方向で当接し合う。
【００２３】
上ケース１０ａの外周部１０１は、図６及び図７に示すように、Ｚ方向のＺ１側に凹む凹部１２０を全周にわたり有する。具体的には、上ケース１０ａの外周部１０１は、ＸＹ平面内に延在する基本面を有し、基本面からＺ方向のＺ１側に凹む凹部１２０を全周にわたり有する。尚、上ケース１０ａの外周部１０１の基本面は、全周にわたり同一の平面内であるが、僅かに変化してもよい。
【００２４】
下ケース１０ｂの外周部２０１は、図６及び図７に示すように、Ｚ方向のＺ１側に突出する凸部２２０を全周にわたり有する。具体的には、下ケース１０ｂの外周部２０１は、ＸＹ平面内に延在する基本面を有し、基本面からＺ方向のＺ１側に突出する凸部２２０を全周にわたり有する。尚、下ケース１０ｂの外周部２０１の基本面は、全周にわたり同一の平面内であるが、僅かに変化してもよい。
【００２５】
防水シート５０は、組み付け後の状態では、外周部５０１が弾性変形する。具体的には、防水シート５０の外周部５０１は、図６及び図７に示すように、凸部２２０と凹部１２０との間で弾性変形して一部が凹部１２０内に収まる（図９も参照）。これにより、上ケース１０ａの外周部１０１と下ケース１０ｂの外周部２０１との間がシールされ、水等の異物の侵入が防止される。
【００２６】
本実施例によれば、防水シート５０は、上述のように外周部５０１が略平らな表面を有するので、例えば、防水シートの外周部に凸部を設けて該凸部を上ケース又は下ケースの外周部の凹部に押し込んで挿入するような比較例（図示せず）に比べて、組み付け性が良好である。即ち、本実施例によれば、例えば、下ケース１０ｂの外周部２０１上に防水シート５０の外周部５０１を載置した状態（図２参照）で、上ケース１０ａを組み付けることができる。この際、下ケース１０ｂに対する防水シート５０の位置決め精度も比較的緩やかでよく、組み付け性が非常に良好である。
【００２７】
ここで、図８及び図９を参照して、本実施例の更なる効果について更に説明する。
【００２８】
図８は、比較例による防水構造を模式的に示す断面図であり、図９は、本実施例による防水構造を模式的に示す断面図である。
【００２９】
比較例では、図８に示すように、上ケースは平らな表面であり、凹部１２０に対応する凹部を有していない。かかる場合、下ケースの凸部により防水シートは上ケースに押圧されるものの、防水シートと上ケースとの間の接触面積を効率的に増加することができない。
【００３０】
これに対して、本実施例によれば、図９に示すように、上ケース１０ａに凹部１２０を備えるので、防水シート５０の外周部５０１は、凸部２２０と凹部１２０との間で弾性変形して一部が凹部１２０内に収まる。これにより、防水シート５０と上ケース１０ａとの間の接触面積が比較例に比べて増加し、防水性を高めることができる。
【００３１】
図１０は、本実施例による凹部１２０及び凸部２２０間の好ましい寸法関係の説明図である。図１０は、凹部１２０及び凸部２２０を模式的に示す断面図である。尚、断面は、外周部１０１（または外周部２０１）の延在する周方向に視た断面である。従って、図１０において、Ｗ方向（第２方向の一例）は、外周部１０１（または外周部２０１）の延在する周方向とＺ方向の双方に対して垂直な方向である。尚、凹部１２０及び凸部２２０は、好ましくは、全周にわたって略同じ断面形状を有する。
【００３２】
図１０に示すように、凸部２２０の断面形状は、好ましくは、頂部が円形状である。円形状とは、一定の半径の円形の一部であるが、楕円状や、複数の半径の円弧の組み合わせからなる円弧状等であってもよい。これにより、防水シート５０を押圧する際に、防水シート５０に損傷を与えることを防止できる。尚、例えば頂部がピン角又はその類の凸部の場合、防水シート５０を押圧する際に、防水シート５０に損傷を与え、防水性が損なわれる虞がある。この点で、頂部が円形状である断面形状の凸部２２０は、頂部がピン角等である断面形状の凸部よりも有利となる。
【００３３】
また、図１０に示すように、凹部１２０の断面形状は、好ましくは、Ｖ字状であり、略平らな斜面１２１を有する。これにより、凹部の断面形状の凹み部分の面積をＳ１とし、凸部の断面形状の突出部分の面積をＳ２としたとき、Ｓ１＜Ｓ２の関係を容易に実現できる。ここで、Ｓ１＜Ｓ２である場合には、防水シート５０が凹部１２０内に隙間なく挿入されるので、防水シート５０と上ケース１０ａとの間の接触面積を高め、防水性を高めることができる。
【００３４】
図１０に示す例では、凹部１２０の断面形状は、Ｗ方向で底辺の長さがＷ１であり、高さがＨ１の略三角形であり、凸部２２０の断面形状は、Ｗ方向で底辺の長さがＷ２であり、高さがＨ２の略半円状である。このとき、好ましくは、Ｓ１＜Ｓ２の関係を実現するため、Ｈ１＞Ｈ２かつＷ１＜Ｗ２とされる。
【００３５】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【００３６】
例えば、上述した実施例では、上ケース１０ａに凹部１２０が設けられ、下ケース１０ｂに凸部２２０が設けられるが、逆であってもよい。即ち、上ケース１０ａに、Ｚ２側に突出する凸部が設けられ、下ケース１０ｂに、Ｚ２側に凹む凹部が設けられてもよい。
【００３７】
また、上述した実施例では、凹部１２０は、Ｖ字状の断面形状を有しているが、これに限られない。例えば、凹部１２０は、凸部２２０と同様、円形状の断面形状を有してもよい。
【００３８】
また、上述した実施例では、上ケース１０ａと下ケース１０ｂとの間に防水シート５０が設けられるが、これに限られない。上ケース１０ａと下ケースとの間に中ケースが設けられ、中ケースと上ケース１０ａとの間に５０が設けられてもよい。この場合、中ケースの外周部は、上述の下ケース１０ｂの凸部２２０と同様の凸部を有すればよい。
【００３９】
また、上述した実施例では、上ケース１０ａの外周部１０１は、Ｚ方向のＺ１側に凹む凹部１２０を全周にわたり有するが、これに限られない。外周部１０１は、凹部１２０を周方向の一部にわたり有してよい。同様に、上述した実施例では、下ケース１０ｂの外周部２０１は、Ｚ方向のＺ１側に突出する凸部２２０を全周にわたり有するが、これに限られない。外周部２０１は、凸部２２０を周方向の一部にわたり有してよい。
【符号の説明】
【００４０】
１  携帯キー
１０  筐体
１０ａ  上ケース
１０ｂ  下ケース
１２  開口部
３０  操作ノブ
５０  防水シート
５２  ドーム状部位
６１  タクトスイッチ
７０  電子部品
７２  電子部品
１０１  外周部
１０２  外縁部
１２０  凹部
１２１  斜面
２０１  外周部
２０２  外縁部
２２０  凸部
５０１  外周部
【図１】
2018155000.tif 000003
【図２】
2018155000.tif 000004
【図３】
2018155000.tif 000005
【図４】
2018155000.tif 000006
【図５】
2018155000.tif 000007
【図６】
2018155000.tif 000008
【図７】
2018155000.tif 000009
【図８】
2018155000.tif 000010
【図９】
2018155000.tif 000011
【図１０】
2018155000.tif 000012